【事件の表示】
　特願２０１８−１１４０１２「グローブと一体化されたセンサシステム」拒絶査定不服審判事件〔平成３０年１０月１１日出願公開、特開２０１８−１６０２６６、請求項の数（１５）〕について、次のとおり審決する。
【結　論】
　原査定を取り消す。
　本願の発明は、特許すべきものとする。
【理　由】
第１　手続の経緯
　本願は、２０１５年（平成２７年）１０月３０日（パリ条約に基づく優先権主張外国庁受理　２０１４年１０月３０日　米国、２０１５年３月２７日　米国）を国際出願日とする出願である特願２０１７−５１８３３８号の一部を、平成３０年６月１４日に新たな特許出願としたものであって、その手続の経緯は以下のとおりである。
　平成３０年　６月１５日　　：手続補正書の提出
　令和　元年　７月　５日付け：拒絶理由通知書
　令和　元年１１月１２日　　：意見書、手続補正書の提出
　令和　２年　４月２２日付け：拒絶査定（原査定）
　令和　２年　６月　９日　　：拒絶査定不服審判請求書、手続補正書の提出
第２　原査定の概要
　原査定（令和２年４月２２日付け拒絶査定）の概要は次のとおりである。
　本願請求項１、３、５−８及び１０ないし１５に係る発明は、以下の引用文献１及び２に記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
１　国際公開第２０１３／１１６２４２号
２　国際公開第２０１４／０５８４７３号
第３　本願発明
１　本願発明
　本願請求項１ないし１５に係る発明（以下、それぞれ「本願発明１」ないし「本願発明１５」という。）は、令和２年６月９日に提出された手続補正書に係る手続補正で補正された特許請求の範囲の請求項１ないし１５に記載された事項により特定される発明であり、以下のとおりの発明である。なお、下線部は、補正された箇所を示す。
「　　【請求項１】
　センサであって、
　第１の熱可塑性ポリウレタン（ＴＰＵ）基板上の複数の導電配線であって、前記複数の導電配線は、２又はそれより多くのセンサ配線を有する、複数の導電配線と、
　前記第１のＴＰＵ基板に熱的に接合され、前記２又はそれより多くのセンサ配線と接するピエゾ抵抗性の生地であって、前記ピエゾ抵抗性の生地及び前記２又はそれより多くのセンサ配線は、前記センサを形成する、ピエゾ抵抗性の生地と
　を備える、センサ。
　　【請求項２】
　前記ピエゾ抵抗性の生地の一方の面が前記センサ配線と接する、請求項１に記載のセンサ。
　　【請求項３】
　前記第１のＴＰＵ基板及び前記ピエゾ抵抗性の生地に熱的に接合される第２のＴＰＵ基板を更に備え、それにより前記第１のＴＰＵ基板と前記第２のＴＰＵ基板との間の前記
ピエゾ抵抗性の生地及び前記
配線
　　【請求項４】
　前記第１のＴＰＵ基板及び前記ピエゾ抵抗性の生地に熱的に接合される第２のＴＰＵ基板を更に備え、それにより前記第２のＴＰＵ基板によって前記ピエゾ抵抗性の生地の一方の面が前記センサ配線と接するよう維持されている、請求項１又は請求項２に記載のセンサ。
　　【請求項５】
　前記第１のＴＰＵ基板及び前記第２のＴＰＵ基板のうちの一方又は両方は、前記センサが追加の基板に熱的に接合されるように、接着剤‐バリア‐接着剤構造を有する、請求項３又は請求項４に記載のセンサ。
　　【請求項６】
　前記複数の導電配線は、前記第１のＴＰＵ基板に印刷された導電性フレキシブルインクを有する、請求項１から請求項５のいずれか一項に記載のセンサ。
　　【請求項７】
　前記センサは、第１の信号経路設定配線を介して前記センサをアクティブにし、前記センサから第２の信号経路設定配線を介してセンサ信号を受信するセンサ回路に接続され、前記センサ回路は、前記ピエゾ抵抗性の生地への機械的な力、前記ピエゾ抵抗性の生地への圧力、前記ピエゾ抵抗性の生地の歪み、又は前記ピエゾ抵抗性の生地の変形のうちの１又は複数を検出すべく、前記センサ信号を処理する、請求項１から請求項６のいずれか一項に記載のセンサ。
　　【請求項８】
　前記ピエゾ抵抗性の生地及び前記２又はそれより多くのセンサ配線は、前記センサ信号を生成する分圧回路の一部を形成する、請求項７に記載のセンサ。
　　【請求項９】
　前記センサ配線は、前記第１のＴＰＵ基板上に、隣接して形成され、
　前記ピエゾ抵抗性の生地を通る前記隣接するセンサ配線間の抵抗の信号が、センサ信号として生成される、請求項１から請求項６のいずれか一項に記載のセンサ。
　　【請求項１０】
　前記センサと位置合わせされるスティフナを更に備える、請求項１から請求項９のいずれか一項に記載のセンサ。
　　【請求項１１】
　請求項１から請求項１０のいずれか一項に記載のセンサを複数備えるセンサアレイ。
　　【請求項１２】
　前記ピエゾ抵抗性の生地は、複数のパッチを有し、前記複数のパッチのそれぞれは、複数の前記センサうちの１つに関連付けられる、請求項１１に記載のセンサアレイ。
　　【請求項１３】
　前記２又はそれより多くのセンサ配線は、前記ピエゾ抵抗性の生地の方向を向く前記第１のＴＰＵ基板の第１の表面上にあり、前記複数の導電配線が有する２又はそれよりも多くの信号経路設定配線のうちの少なくともいくつかは、前記ピエゾ抵抗性の生地から離れる方向を向く前記第１のＴＰＵ基板の第２の表面上にある、請求項１１又は請求項１２に記載のセンサアレイ。
　　【請求項１４】
　第１の信号経路設定配線を介して複数の前記センサを選択的にアクティブにし、複数の前記センサから第２の信号経路設定配線を介してセンサ信号を受信するセンサ回路を更に備え、前記センサ回路は、前記センサアレイの表面と接する物体の動きの速度及び方向を決定すべく、前記センサ信号を処理する、請求項１１から請求項１３のいずれか一項に記載のセンサアレイ。
　　【請求項１５】
　第１の導電配線の上にわたって形成された絶縁材料を更に備え、それにより、第２の導電配線が前記第１の導電配線と交差することを可能にする、請求項１１から請求項１４のいずれか一項に記載のセンサアレイ。」
２　優先権主張の効果について
　本願は、優先権主張番号６２／０７２，７９８（優先日：２０１４年１０月３０日）及び１４／６７１，８２１（優先日：２０１５年３月２７日）に基づく優先権主張を伴うものであるが、本願発明１ないし１５に係る「熱可塑性ポリウレタン（ＴＰＵ）基板」は、前記優先権主張番号に係る米国特許出願に添付された書面には記載も示唆もなく、また、優先日における技術常識であったともいえない。
　よって、本願発明１ないし１５は、パリ条約に基づく優先権主張の利益を享受することができない。
第４　引用文献、引用発明等
１　引用文献１について
（１）引用文献１記載事項
　原査定の拒絶の理由に引用された引用文献１には、図面とともに次の事項が記載されている。（なお、文字”R”を円”○”で囲む記号は、システム上入力できないため、「(R)」で代替した。）
（第１ページ第５−１４行）
「The present invention relates generally to 
sensors, including flexible and stretchable fabric-based pressure sensors, that may be associated with or incorporated in garments
［当審訳］
「本発明は、概して、体表面に対して（直接的または間接的に）着用することを意図した
衣服に関連付けられるか、またはそれに組み込まれ得る、可撓性および伸縮性の布ベースの圧力センサを含むセンサ
（第３ページ第１８−３２行）
「In some embodiments, one or more
 sensor(s)
piezoresistive force sensor
measure resistance, which is inversely proportional to applied force
use pressure sensitive inks with silver leads terminating in pins, with the pressure sensitive area and leads sandwiched between polyester film layers
［当審訳］
「いくつかの実施形態では、１つまたは複数の
センサは、
ピエゾ抵抗力センサ
加えられた力に反比例する抵抗を測定できる
ピンで終わる銀のリード線を備えた感圧インクを使用し、感圧領域とリード線はポリエステルフィルム層の間に挟まれている
（第４ページ第３−９行）
「
Suitable materials, such as piezoresistive fabric sensors, coated and/ or impregnated fabrics, such as metallic coated fabric materials and fabric materials coated or impregnated with other types of conductive formulations, are known in the art and a variety of such fabric sensors may be used
［当審訳］
「
ピエゾ抵抗布センサなどの適切な材料、金属被覆布材料および他のタイプの導電性配合物でコーティングまたは含浸された布材料などの被覆および／または含浸布は、当技術分野で知られており、様々なそのような布センサを使用することができる
（第４ページ第２５−３６行）
「Fabric sensors of the present invention may thus be capable of monitoring various parameters, including force, pressure, humidity, temperature, gascontent, and the like, at the site. Additional monitoring capabilities may be available using fabric sensors as innovation in fabric sensors proceeds and as nano-materials and materials incorporating nano-structures are developed and become commercially feasible. Flexible (and optionally stretchable or elastic) 
conductive fabric sensor(s), leads and/or traces may be mounted to/in/on, or associated with, an underlying substrate such as fabric or sheet material that's nonconductive and flexible
The term fabric or sheet material 
refers to many types of pliable materials, including traditional fabrics comprising woven or non-woven fibers or strands, as well as fiber reinforced sheet materials, and other types of flexible sheeting materials composed of natural and/or synthetic materials, including flexible plastic sheeting material, pliable thermoplastic, foam and composite materials, screen-like or mesh materials, and the like
［当審訳］
「したがって、本発明の布地センサは、現場で、力、圧力、湿度、温度、ガス含有量などを含む様々なパラメータを監視することができ得る。ファブリックセンサの革新が進み、ナノ材料およびナノ構造を組み込んだ材料が開発されて商業的に実現可能になるにつれて、ファブリックセンサを使用して追加の監視機能が利用できるようになる可能性がある。柔軟な（およびオプションで伸縮性または弾性の）
導電性ファブリックセンサ、リード、および／またはトレースは、非導電性で柔軟性のあるファブリックまたはシート材料などの基礎となる基板に対して／基板中に／基板上に取り付けるか、または関連付けることができる
「布」または「シート材料」という用語は、織布または不織布の繊維またはストランドを含む従来の布、ならびに繊維強化シート材料、および他のタイプの柔軟なシート材料を含む、多くのタイプの柔軟な材料を指し、柔軟なプラスチックシート材料、柔軟な熱可塑性材料、発泡および複合材料、スクリーン状またはメッシュ材料などを含む、天然および／または合成材料で構成される
（第５ページ下から２行目−第６ページ第１行）
「
Each sensor is generally associated with two conductive leads, and each of the leads is electrically connected to a conductive trace conveying electrical signals to a signal transfer terminal
［当審訳］
「
各センサは一般に２つの導電性リード線に関連付けられており、各リード線は電気信号を信号転送端子に伝達する導電性トレースに電気的に接続されている
（第６ページ第１４−２５行）
「Sensor(s) as described herein and 
sensor systems
intended to be worn (directly or indirectly) against the skin of an individual, such as a shirt or tunic, underwear, leggings, socks, footies, gloves, caps, bands such as wrist bands, leg bands, torso and back bands, brassieres, and the like
［当審訳］
「本明細書に記載のセンサ、および布製電子繊維圧力センサおよび導電性リードおよびトレースを備えた他の様々なタイプのセンサを含む
センサシステムは、シャツやチュニック、下着、レギンス、靴下、フーティー、手袋、帽子、バンド（リストバンド、レッグバンド、トルソバンド、バックバンドなど）、ブラジャーなど、個人の肌に（直接的または間接的に）着用される衣服
を含む様々な基板に関連付けられる
「Fig.1
」
（２）引用発明
　前記（１）より、上記引用文献１には次の発明（以下、「引用発明」という。）が記載されていると認められる。
「　衣服に関連付けられるか、またはそれに組み込まれ得る、可撓性および伸縮性の布ベースの圧力センサを含むセンサであって、
　センサは、加えられた力に反比例する抵抗を測定できるピエゾ抵抗力センサであって、ピンで終わる銀のリード線を備えた感圧インクを使用し、感圧領域とリード線はポリエステルフィルム層の間に挟まれており、
　ピエゾ抵抗布センサなどの適切な材料、金属被覆布材料および他のタイプの導電性配合物でコーティングまたは含浸された布材料などの被覆および／または含浸布は、当技術分野で知られており、様々なそのような布センサを使用することができ、
　導電性ファブリックセンサ、リード、および／またはトレースは、非導電性で柔軟性のあるファブリックまたはシート材料などの基礎となる基板に対して／基板中に／基板上に取り付けるか、または関連付けることができ、「布」または「シート材料」という用語は、織布または不織布の繊維またはストランドを含む従来の布、ならびに繊維強化シート材料、および他のタイプの柔軟なシート材料を含む、多くのタイプの柔軟な材料を指し、柔軟なプラスチックシート材料、柔軟な熱可塑性材料、発泡および複合材料、スクリーン状またはメッシュ材料などを含む、天然および／または合成材料で構成され、
　各センサは一般に２つの導電性リード線に関連付けられており、各リード線は電気信号を信号転送端子に伝達する導電性トレースに電気的に接続されており、
　センサシステムは、シャツやチュニック、下着、レギンス、靴下、フーティー、手袋、帽子、バンド（リストバンド、レッグバンド、トルソバンド、バックバンドなど）、ブラジャーなど、個人の肌に（直接的または間接的に）着用される衣服を含む様々な基板に関連付けられる、
　センサ。」
２　引用文献２について
　原査定の拒絶の理由に引用された引用文献２には、図面とともに次の事項が記載されている。
「[0004] According to one aspect of the disclosure,
 a tagging device incorporated into apparel can include a flexible substrate
［当審訳］
「本開示の一態様によれば、
衣類に組み込まれるタグ付け装置は、可撓性基板を含むことができ
「[0011] According to another aspect of the disclosure, an apparatus for monitoring a temperature can include a flexible substrate to which a flexible device is disposed. The flexible device can include a stretchable coil formed from a conductive material and comprising at least one corrugated portion. The flexible device can also include an integrated circuit component disposed proximate to and in electrical communication with the stretchable coil. The integrated circuit component of the flexible device can include at least one memory that is read and write-enabled. The flexible device can include a flexible encapsulant.
 The apparatus can also include a temperature sensor in communication with the flexible device, to perform at least one temperature measurement
［当審訳］
「　一例では、識別情報が、一意の識別子、使用者名、使用者識別、選手名、ジャージ番号、軍隊身分表示、洗濯表示、場所の少なくとも１つを含む。本開示の別の態様によれば、温度を監視するための装置が、可撓性基板を含むことができ、可撓性基板に可撓性装置が配設される。可撓性装置は、導電性材料から形成される伸縮性のコイルを含むことができ、少なくとも１つの波形部分を備えることができる。また、可撓性装置は、伸縮性のコイルの近位に配設され、コイルと電気通信する集積回路構成要素を含むこともできる。可撓性装置の集積回路構成要素は、読み出しおよび書き込み可能な少なくとも１つのメモリを含むことができる。可撓性装置は、可撓性カプセル材を含むことができる。また、
装置は、少なくとも１回の温度測定を行うために可撓性装置と通信する温度センサを含むこともできる
「[0017] In an example, 
the flexible substrate comprises at least one of a polymer, an elastomer, a fabric, a thermo-polyurethane, a thermo-polyester, or paper
［当審訳］
「　一例では、
可撓性基板は、ポリマー、エラストマー、布地、サーモポリウレタン、サーモポリエステル、または紙の少なくとも１つを備え
「[0020] According to another aspect of the disclosure, an apparatus for monitoring an amount of exposure to ultraviolet radiation includes a flexible substrate and a flexible device disposed on the flexible substrate. The flexible device can include a stretchable coil formed from a conductive material and can include at least one corrugated portion. The flexible device can also include an integrated circuit component disposed proximate to and in electrical communication with the stretchable coil. The integrated circuit component can include at least one memory that is read and write-enabled. The flexible device can be encapsulated with an encapsulant. 
The apparatus can further include an ultraviolet radiation sensor in communication with the flexible device, to perform at least one ultraviolet radiation measurement
measurement or an indication of an amount of the exposure of the ultraviolet radiation sensor to the ultraviolet radiation.」
［当審訳］
「　本開示の別の態様によれば、紫外放射への露出の量を監視するための装置が、可撓性基板と、可撓性基板上に配設された可撓性装置とを含む。可撓性装置は、導電性材料から形成される伸縮性のコイルを含むことができ、少なくとも１つの波形部分を含むことができる。また、可撓性装置は、伸縮性のコイルの近位に配設され、コイルと電気通信する集積回路構成要素を含むこともできる。集積回路構成要素は、読み出しおよび書き込み可能な少なくとも１つのメモリを含むことができる。可撓性装置は、カプセル材でカプセル化することができる。
装置は、少なくとも１回の紫外放射測定を行うために可撓性装置と通信する紫外放射センサをさらに含むことができる
　以上から、上記引用文献２には次の技術事項（以下、「引用文献２記載事項」という。）が記載されていると認められる。
「　衣類に組み込まれるタグ付け装置は、可撓性基板を含むことができ、
　装置は、少なくとも１回の温度測定を行うために可撓性装置と通信する温度センサを含むこともでき、
　可撓性基板は、ポリマー、エラストマー、布地、サーモポリウレタン、サーモポリエステル、または紙の少なくとも１つを備え、
　装置は、少なくとも１回の紫外放射測定を行うために可撓性装置と通信する紫外放射センサをさらに含むことができること。」
第５　対比・判断
１　本願発明１について
（１）対比
　本願発明１と引用発明とを対比する。
ア　引用発明の「センサ」は、後述する相違点を除いて、本願発明１の「センサ」に相当する。
イ　引用発明は、「感圧領域とリード線はポリエステルフィルム層の間に挟まれており」、「各センサは一般に２つの導電性リード線に関連付けられており」との構造を備えるから、引用発明の「センサ」は、「ポリエステルフィルム層」上に、「２つの導電線リード線」が配線されたものといえる。
ウ　前記イより、引用発明において、「２つの導電線リード線」が配線されている「ポリエステルフィルム層」は、「基板」といい得るものであり、「感圧領域」と「リード線」を挟む２層の「ポリエステルフィルム層」のうちの一方を「第１の基板」と称することは任意である。
　また、引用発明の「２つの導電線リード線」は、「センサ」に使用されるものであるから、「導線配線」とも「センサ配線」ともいい得るものである。
　また、「２つ」は、「複数」及び「２又はそれより多く」に含まれる概念である。
　以上より、引用発明と本願発明１の「第１の
熱可塑性ポリウレタン（ＴＰＵ）
エ　前記イより「感圧領域」は、「ポリエステルフィルム層」に接合され、かつ、「２つの導電線リード線」と接しており、また、「センサ」を形成するものといえる。
　また、引用発明は、「ピエゾ抵抗布センサなどの適切な材料、金属被覆布材料および他のタイプの導電性配合物でコーティングまたは含浸された布材料などの被覆および／または含浸布は、当技術分野で知られており、様々なそのような布センサを使用することができ」との構成を有することから、前記「感圧領域」は、「
ピエゾ抵抗布センサ
　よって、引用発明と、本願発明１の「前記第１の
ＴＰＵ
熱的に
（２）一致点、相違点
　したがって、本願発明１と引用発明との間には、次の点において一致ないし相違する。
［一致点］
「　センサであって、
　第１の基板上の複数の導電配線であって、前記複数の導電配線は、２又はそれより多くのセンサ配線を有する、複数の導電配線と、
　前記第１の基板に接合され、前記２又はそれより多くのセンサ配線と接するピエゾ抵抗性の生地であって、前記ピエゾ抵抗性の生地及び前記２又はそれより多くのセンサ配線は、前記センサを形成する、ピエゾ抵抗性の生地と
　を備える、センサ。」
［相違点］
＜相違点１＞
　「第１の基板」が、本願発明１は「第１の
熱可塑性ポリウレタン（ＴＰＵ）
熱可塑性材料
＜相違点２＞
　「第１の基板」と「ピエゾ抵抗性の生地」との「接合」が、本願発明１は「熱的に接合」であるのに対し、引用発明は、「ポリエステルフィルム層」と「感圧領域」がどのように接合されるのかを具体的に特定していない点。
（３）相違点についての判断
　「第１の基板」に関する事項である点において連関するため、相違点１及び相違点２についてまとめて検討する。
　仮に、引用発明に引用文献２記載事項（特に「サーモポリウレタン」）を選択的に適用して、引用発明の「ポリエステルフィルム層」を「第１の熱可塑性ポリウレタン（ＴＰＵ）基板」に置換することが当業者にとって容易であるとしても、そのように置換した後の構成において、さらに、「第１の熱可塑性ポリウレタン（ＴＰＵ）基板」と「ピエゾ抵抗性の生地」との接合方式として、「熱的に接合」する方式を採用することは当業者にとって自明ないし容易とはいえない。（むしろ、「熱可塑性ポリウレタン（ＴＰＵ）基板」との接合に「熱的に接合」する方式を適用した場合には、「熱可塑性」である「熱可塑性ポリウレタン（ＴＰＵ）基板」が熱により変形するおそれがあることから、「衣服に関連付けられるか、またはそれに組み込まれ得る」ことを前提としている引用発明に適用するには技術的な阻害要因がある。）
　また、「第１の熱可塑性ポリウレタン（ＴＰＵ）基板」と「ピエゾ抵抗性の生地」とを「熱的に接合」することは、本願出願時における周知技術であったとは認められない。
　したがって、本願発明１は、当業者であっても引用文献１及び２に記載された発明に基いて容易に発明をすることができたものであるとはいえない。
２　本願発明２ないし１５について
　本願発明２ないし１５も、本願発明１の、「第１の熱可塑性ポリウレタン（ＴＰＵ）基板」と「ピエゾ抵抗性の生地」とを「熱的に接合」するという技術的事項を備えるものであるから、本願発明１と同じ理由により、当業者であっても、引用文献１及び２に記載された発明に基いて容易に発明をすることができたものであるとはいえない。
第６　原査定について
　本願発明１ないし１５は、「第１の熱可塑性ポリウレタン（ＴＰＵ）基板」と「ピエゾ抵抗性の生地」とを「熱的に接合」するという技術的事項を有するものであるから、当業者であっても、引用文献１及び２に記載された発明に基いて容易に発明をすることができたものであるとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。